(57)【要約】【課題】相手機ビジーなどで保留した画像データの送信を早期に完了できるネットワークファクシミリ装置を提供する。【解決手段】発呼側のファクシミリ１０Ａは、相手機１０Ｂがビジーの場合は(P22)、画像データの送信を保留して、相手機のＩＰアドレスを記憶する(P24)。相手機１０Ｂは、発呼側のＩＰアドレスを記憶しておき(P23)、受信可能となったとき、折り返して発呼する(P26)。ファクシミリ１０Ａは、着呼(P26)によりセッションが確立したときは(P28)、画像データの受信を待機するが、予め定められた時間(T1)待っても画像データが送信されてこない場合は、今回の着呼は保留中の画像データに対する送信要求であると判断し、記憶してある相手機のＩＰアドレスと今回の発呼側のＩＰアドレスとを比較し、一致する場合は、保留中の画像データを今回の発呼側１０Ｂに対して送信する(P29、P30)。【選択図】図４
2007336393.tif 000002
【特許請求の範囲】
【請求項１】
セッション制御プロトコルに基づき、セッション制御を行ない、セッション確立後に、画像通信を行なうネットワークファクシミリ装置において、
自機の発呼時に、セッション確立要求を発行させ、第１の相手機から通信不可信号が返送された場合は、画像データの送信を保留させる制御手段と、
前記第１の相手機のＩＰアドレスを記憶する記憶手段と、
前記記憶手段に前記第１の相手機のＩＰアドレスを記憶した後、第２の相手機からセッション確立要求を受け、該第２の相手機に対してセッション確立応答を返送するネットワークインターフェイス制御手段と、
前記セッション確立応答を返送した後に、予め定められた時間内に前記第２の相手機から画像データの送信が行なわれない場合は、前記記憶手段に記憶されている前記第１の相手機のＩＰアドレスと前記第２の相手機のＩＰアドレスとを比較する比較手段と
を有し、
前記制御手段は、前記比較手段により前記第１の相手機のＩＰアドレスと前記第２の相手機のＩＰアドレスとが一致していると判断された場合は、前記送信の保留された画像データを前記第２の相手機に対して送信するように制御する
ことを特徴とするネットワークファクシミリ装置。
【請求項２】
前記比較手段により、前記記憶手段に記憶されている前記第１の相手機のＩＰアドレスと前記第２の相手機のＩＰアドレスとが一致していないと判断された場合は、前記制御手段は前記第２の相手機とのセッションを開放する
ことを特徴とする請求項１に記載のネットワークファクシミリ装置。
【請求項３】
前記第２の相手機からセッション確立要求を受けて、セッション確立応答を返送後に、前記予め定められた時間内に前記第２の相手機から画像データの送信が行なわれず、かつ自機に保留された送信に係わる画像データが存在しない場合は、前記制御手段は前記第２の相手機とのセッションを開放する
ことを特徴とする請求項１または２に記載のネットワークファクシミリ装置。
【請求項４】
前記画像データの送信に際して、前記制御手段は前記記憶手段に記憶されている前記第１の相手機のＩＰアドレスを消去する
ことを特徴とする請求項１乃至３のいずれか１つに記載のネットワークファクシミリ装置。
【請求項５】
前記制御手段は保留された送信に係わる画像データを前記記憶手段に記憶させる
ことを特徴とする請求項１乃至４のいずれか１つに記載のネットワークファクシミリ装置。
【請求項６】
セッション制御プロトコルに基づき、セッション制御を行ない、セッション確立後に、画像通信を行なうネットワークファクシミリ装置において、
自機の被呼時に、発呼側からセッション確立要求を受けたが、セッション確立が行なえない場合は、発呼側に対して通信不可信号を返送するようネットワークインターフェイス制御手段を制御する制御手段と、
前記発呼側のＩＰアドレスを記憶する記憶手段と
を有し、
セッション確立が可能となった場合に、前記制御手段は、前記ネットワークインターフェイス制御手段を用いて、前記記憶手段に記憶されている前記発呼側のＩＰアドレスに基づき前記発呼側に対して発呼を行なうよう制御する
ことを特徴とするネットワークファクシミリ装置。
【請求項７】
前記ネットワークインターフェイス制御手段で発呼し、前記発呼側との間でセッションが確立した後、前記制御手段は、前記発呼側から画像データが送信されてくるのを待ち、所定時間の経過前に画像データが送信されてきた場合は、該画像データを受信させ、前記所定時間が経過しても画像データが送信されてこない場合は、前記発呼側とのセッションを開放する
ことを特徴とする請求項６に記載のネットワークファクシミリ装置。
【請求項８】
前記発呼に際して、前記制御手段は前記記憶手段に記憶されている前記発呼側のＩＰアドレスを消去する
ことを特徴とする請求項６もしくは７のいずれかに記載のネットワークファクシミリ装置。
【請求項９】
セッション制御プロトコルに基づき、セッション制御を行ない、セッション確立後に、画像通信を行なう第１のネットワークファクシミリ装置と第２のネットワークファクシミリ装置を有するネットワークファクシミリシステムにおいて、
前記第１のネットワークファクシミリ装置は、
自機の発呼時に、セッション確立要求を発行させ、前記第２のネットワークファクシミリ装置から通信不可信号が返送された場合は、画像データの送信を保留させる制御手段と、
前記第２のネットワークファクシミリ装置のＩＰアドレスを記憶する記憶手段と、
前記記憶手段に前記第２のネットワークファクシミリ装置のＩＰアドレスを記憶した後、相手機からセッション確立要求を受け、該相手機に対してセッション確立応答を返送するネットワークインターフェイス制御手段と、
前記セッション確立応答を返送した後に、予め定められた第１の時間内に前記相手機から画像データの送信が行なわれない場合は、前記記憶手段に記憶されている前記第２のネットワークファクシミリ装置のＩＰアドレスと前記相手機のＩＰアドレスとを比較する比較手段と
を有し、
前記第２のネットワークファクシミリ装置は、
自機の被呼時に、前記第１のネットワークファクシミリ装置から前記セッション確立要求を受けたが、セッション確立が行なえない場合は、前記第１のネットワークファクシミリ装置に対して通信不可信号を返送するようネットワークインターフェイス制御手段を制御する制御手段と、
前記第１のネットワークファクシミリ装置のＩＰアドレスを記憶する記憶手段と
を有し、
前記第１のネットワークファクシミリ装置の前記制御手段は、前記比較手段により前記第２のネットワークファクシミリ装置のＩＰアドレスと前記相手機のＩＰアドレスとが一致していると判断された場合は、前記送信の保留された画像データを前記相手機に対して送信するように制御し、
前記第２のネットワークファクシミリ装置の前記制御手段は、セッション確立が可能となった場合に、前記ネットワークインターフェイス制御手段を用いて、前記記憶手段に記憶されている前記第１のネットワークファクシミリ装置のＩＰアドレスに基づき、前記第１のネットワークファクシミリ装置に対して発呼を行なうよう制御する
ことを特徴とするネットワークファクシミリシステム。
【請求項１０】
前記第１のネットワークファクシミリ装置の前記比較手段により、前記記憶手段に記憶されている前記第２のネットワークファクシミリ装置のＩＰアドレスと前記相手機のＩＰアドレスとが一致していないと判断された場合は、前記制御手段は前記相手機とのセッションを開放する
ことを特徴とする請求項９に記載のネットワークファクシミリシステム。
【請求項１１】
前記相手機からセッション確立要求を受けて、セッション確立応答を返送後に、前記第１の時間内に前記相手機から画像データの送信が行なわれず、かつ自機に保留された送信に係わる画像データが存在しない場合は、前記第１のネットワークファクシミリ装置の前記制御手段は前記相手機とのセッションを開放する
ことを特徴とする請求項９または１０に記載のネットワークファクシミリシステム。
【請求項１２】
前記画像データの送信に際して、前記第１のネットワークファクシミリ装置の前記制御手段は前記記憶手段に記憶されている前記第２のネットワークファクシミリ装置のＩＰアドレスを消去する
ことを特徴とする請求項９乃至１１のいずれか１つに記載のネットワークファクシミリシステム。
【請求項１３】
前記第１のネットワークファクシミリ装置の前記制御手段は保留された送信に係わる画像データを前記記憶手段に記憶させる
ことを特徴とする請求項９乃至１２のいずれか１つに記載のネットワークファクシミリシステム。
【請求項１４】
前記第２のネットワークファクシミリ装置の前記ネットワークインターフェイス制御手段で発呼し、前記第１のネットワークファクシミリ装置との間でセッションが確立した後、前記第２のネットワークファクシミリ装置の前記制御手段は、前記第１のネットワークファクシミリ装置から画像データが送信されてくるのを待ち、第２の所定時間の経過前に画像データが送信されてきた場合は、該画像データを受信させ、前記第２の所定時間が経過しても画像データが送信されてこない場合は、前記第１のネットワークファクシミリ装置とのセッションを開放する
ことを特徴とする請求項９に記載のネットワークファクシミリシステム。
【請求項１５】
前記第２の所定時間は、前記１の所定時間よりも長い
ことを特徴とする請求項１４に記載のネットワークファクシミリシステム。
【請求項１６】
前記発呼に際して、前記第２のネットワークファクシミリ装置の前記制御手段は前記記憶手段に記憶されている前記第１のネットワークファクシミリ装置のＩＰアドレスを消去する
ことを特徴とする請求項１４もしくは１５のいずれかに記載のネットワークファクシミリシステム。
【発明の詳細な説明】
【技術分野】
【０００１】
本発明は、セッション制御プロトコルに基づき、セッション制御を行ない、セッション確立後に、他のポートを用いて画像通信を行なうネットワークファクシミリ装置に関する。
【背景技術】
【０００２】
ネットワークファクシミリには、セッション制御プロトコル（ＳＩＰ…Session
Initiation Protocol）を利用し、送受信機間をインターネットなどのネットワークを介してピア・ツゥ・ピアに接続して画像データを伝送する、所謂、ＳＩＰ−ＦＡＸと呼ばれるものがある。
【０００３】
ＳＩＰ−ＦＡＸのように送受信機間を接続して通信する方式では、相手機ビジーなどのために画像データを送信できないことがある。かかる場合、送信機は相手機がいつレディになるかを知り得ないので、一定時間（たとえば、３分）の経過を待ってから自動で再発呼して再度の送信を試みるなどのリカバリ処理が行なわれる。
【０００４】
一方、ＶｏＩＰ（Voice over Internet Protocol）を利用したＩＰ（Internet Protocol）電話においては、通話中に着信があった場合、その着信相手の番号を記憶すると共に、後でかけ直す旨の音声応答を返信し、通話終了後にその相手に対して自動発信する技術が提案されている（たとえば、特許文献１参照。）。
【０００５】
また、通話など対話的な通信を行なうＩＰ端末装置において、通信中に着信があったとき、その着信相手に対してメッセージを自動返信したり、着信相手からのメッセージを録音したりするなどの様々な便宜を図る技術がある（たとえば、特許文献２参照。）。
【０００６】
【特許文献１】特開２００５−２６９１６５号公報
【特許文献２】特開２００５−６５０４９号公報
【発明の開示】
【発明が解決しようとする課題】
【０００７】
ＩＰ電話のような対話型通信では、通話中に着信のあった相手に対して、通信の終了後に自動発呼してつながれば、どちらから発呼しようとも、相手との対話により要件を果たすことができる。
【０００８】
しかしながら、ＳＩＰ−ＦＡＸの場合、通信中に着信のあった相手機に対して通信の終了後に自動発呼したとしても、被呼側の相手機はファクシミリ受信動作を行なおうとするので、相手機に保留されている画像データをこちらに送信させることはできない。このため、従来は、送信機側から再発呼するしか保留中の画像データを送信する方法がなく、３分後の自動再発呼を待っていたのでは、送信ジョブを完了するまでに長い時間を要して非効率であるという問題があった。
【０００９】
また、再発呼までの待ち時間を短くすれば、保留中の画像データの送信完了までの時間を短縮できるが、再発呼の回数が増えてしまい、ネットワークに余計な負荷がかかり、好ましくない。
【００１０】
なお、着信時に画像データを受信できない原因は、他機との通信中に限らず、装置のウォームアップ中など様々に想定される。
【００１１】
本発明は、上記の問題点を解決しようとするものであり、相手機ビジーなどによって保留された画像データの送信を早期に完了させることのできるネットワークファクシミリ装置を提供することを目的としている。
【課題を解決するための手段】
【００１２】
かかる目的を達成するための本発明の要旨とするところは、次の各項の発明に存する。
【００１３】
（１）セッション制御プロトコルに基づき、セッション制御を行ない、セッション確立後に、画像通信を行なうネットワークファクシミリ装置において、
自機の発呼時に、セッション確立要求を発行させ、第１の相手機から通信不可信号が返送された場合は、画像データの送信を保留させる制御手段と、
前記第１の相手機のＩＰアドレスを記憶する記憶手段と、
前記記憶手段に前記第１の相手機のＩＰアドレスを記憶した後、第２の相手機からセッション確立要求を受け、該第２の相手機に対してセッション確立応答を返送するネットワークインターフェイス制御手段と、
前記セッション確立応答を返送した後に、予め定められた時間内に前記第２の相手機から画像データの送信が行なわれない場合は、前記記憶手段に記憶されている前記第１の相手機のＩＰアドレスと前記第２の相手機のＩＰアドレスとを比較する比較手段と
を有し、
前記制御手段は、前記比較手段により前記第１の相手機のＩＰアドレスと前記第２の相手機のＩＰアドレスとが一致していると判断された場合は、前記送信の保留された画像データを前記第２の相手機に対して送信するように制御する
ことを特徴とするネットワークファクシミリ装置。
【００１４】
上記発明では、発呼時に、相手機ビジーなどで通信不可信号が返送された場合は、画像データの送信を保留して、相手機（第１の相手機）のＩＰアドレスを記憶する。その後、他機（第２の相手機）からの着呼でセッションが確立したときは、画像データの受信待ちに一旦入るが、予め定められた時間（Ｔ１）を待っても画像データが送信されてこない場合は、今回の着呼は保留中の画像データに対する送信要求であると判断し、先に記憶しておいた第１の相手機のＩＰアドレスと今回の発呼側である第２の相手機のＩＰアドレスとを比較する。そして、これらのＩＰアドレスが一致するときは、保留中の画像データを今回の発呼側である第２の相手機に対して送信する。
【００１５】
このように、着呼後、予め定められた時間を待っても画像データが送信されてこないことをもって、今回の着呼は保留中の画像データに対する送信要求であると判断するので、ＳＩＰの標準手順の範囲内で、保留中の画像データを、相手機からの発呼に基づいて送信することができる。たとえば、相手機が、通信中に着信があった場合に、その着信相手に対し、通信終了後に自動で折り返し発呼するように構成されていれば、相手機が受信可能に変化した後、即座に保留中の画像データを送信することができ、相手機ビジーなどで保留された画像データの送信を早期に完了させることができる。
【００１６】
（２）前記比較手段により、前記記憶手段に記憶されている前記第１の相手機のＩＰアドレスと前記第２の相手機のＩＰアドレスとが一致していないと判断された場合は、前記制御手段は前記第２の相手機とのセッションを開放する
ことを特徴とする（１）に記載のネットワークファクシミリ装置。
【００１７】
上記発明では、着呼後、予め定められた時間内に画像データが送信されてこない場合（保留中の画像データに対する相手機からの送信要求）であっても、記憶してある第１の相手機のＩＰアドレスと今回の発呼側である第２の相手機のＩＰアドレスとが不一致の場合は、保留中の画像データを送信せずにセッションを開放する。ＩＰアドレスの一致を確認するので、誤った相手機への誤送信が防止される。
【００１８】
（３）前記第２の相手機からセッション確立要求を受けて、セッション確立応答を返送後に、前記予め定められた時間内に前記第２の相手機から画像データの送信が行なわれず、かつ自機に保留された送信に係わる画像データが存在しない場合は、前記制御手段は前記第２の相手機とのセッションを開放する
ことを特徴とする（１）または（２）に記載のネットワークファクシミリ装置。
【００１９】
上記発明では、着呼後、予め定められた時間内に画像データが送信されてこない場合でも、保留中の画像データがない場合は、セッションを開放する。この場合、記憶してあるＩＰアドレスと発呼側のＩＰアドレスとの一致／不一致を確認する必要はない。
【００２０】
（４）前記画像データの送信に際して、前記制御手段は前記記憶手段に記憶されている前記第１の相手機のＩＰアドレスを消去する
ことを特徴とする（１）乃至（３）のいずれか１つに記載のネットワークファクシミリ装置。
【００２１】
（５）前記制御手段は保留された送信に係わる画像データを前記記憶手段に記憶させる
ことを特徴とする（１）乃至（４）のいずれか１つに記載のネットワークファクシミリ装置。
【００２２】
（６）セッション制御プロトコルに基づき、セッション制御を行ない、セッション確立後に、画像通信を行なうネットワークファクシミリ装置において、
自機の被呼時に、発呼側からセッション確立要求を受けたが、セッション確立が行なえない場合は、発呼側に対して通信不可信号を返送するようネットワークインターフェイス制御手段を制御する制御手段と、
前記発呼側のＩＰアドレスを記憶する記憶手段と
を有し、
セッション確立が可能となった場合に、前記制御手段は、前記ネットワークインターフェイス制御手段を用いて、前記記憶手段に記憶されている前記発呼側のＩＰアドレスに基づき前記発呼側に対して発呼を行なうよう制御する
ことを特徴とするネットワークファクシミリ装置。
【００２３】
上記発明に係わるネットワークファクシミリ装置は、上記（１）から（５）に示すネットワークファクシミリ装置の相手機となるネットワークファクシミリ装置である。他機との通信中など、画像データを受信できない状態での着呼により、相手機（発呼側）とセッションを確立できないときは、ビジー信号などの通信不可信号を相手機に返信すると共に、その相手機のＩＰアドレスを記憶する。その後、自機がセッション確立可能な状態（受信可能なレディ状態）になったとき、先ほどの相手機に対して自動発呼する。
【００２４】
（７）前記ネットワークインターフェイス制御手段で発呼し、前記発呼側との間でセッションが確立した後、前記制御手段は、前記発呼側から画像データが送信されてくるのを待ち、所定時間の経過前に画像データが送信されてきた場合は、該画像データを受信させ、前記所定時間が経過しても画像データが送信されてこない場合は、前記発呼側とのセッションを開放する
ことを特徴とする（６）に記載のネットワークファクシミリ装置。
【００２５】
上記発明では、相手機が（１）に示すネットワークファクシミリ装置でない場合（たとえば、他社機）や、相手機で既に画像データの送信がキャンセルされている場合は、所定時間が経過しても画像データが送られてこないので、その場合はセッションを開放する。一方、所定時間の経過前に相手機から画像データが送信されてきたときは、それを受信する。所定時間（Ｔ２）は（１）の発明における予め定められた時間（Ｔ１）より長い時間に設定される。
【００２６】
（８）前記発呼に際して、前記制御手段は前記記憶手段に記憶されている前記発呼側のＩＰアドレスを消去する
ことを特徴とする（６）もしくは（７）のいずれかに記載のネットワークファクシミリ装置。
（９）セッション制御プロトコルに基づき、セッション制御を行ない、セッション確立後に、画像通信を行なう第１のネットワークファクシミリ装置と第２のネットワークファクシミリ装置を有するネットワークファクシミリシステムにおいて、
前記第１のネットワークファクシミリ装置は、
自機の発呼時に、セッション確立要求を発行させ、前記第２のネットワークファクシミリ装置から通信不可信号が返送された場合は、画像データの送信を保留させる制御手段と、
前記第２のネットワークファクシミリ装置のＩＰアドレスを記憶する記憶手段と、
前記記憶手段に前記第２のネットワークファクシミリ装置のＩＰアドレスを記憶した後、相手機からセッション確立要求を受け、該相手機に対してセッション確立応答を返送するネットワークインターフェイス制御手段と、
前記セッション確立応答を返送した後に、予め定められた第１の時間内に前記相手機から画像データの送信が行なわれない場合は、前記記憶手段に記憶されている前記第２のネットワークファクシミリ装置のＩＰアドレスと前記相手機のＩＰアドレスとを比較する比較手段と
を有し、
前記第２のネットワークファクシミリ装置は、
自機の被呼時に、前記第１のネットワークファクシミリ装置から前記セッション確立要求を受けたが、セッション確立が行なえない場合は、前記第１のネットワークファクシミリ装置に対して通信不可信号を返送するようネットワークインターフェイス制御手段を制御する制御手段と、
前記第１のネットワークファクシミリ装置のＩＰアドレスを記憶する記憶手段と
を有し、
前記第１のネットワークファクシミリ装置の前記制御手段は、前記比較手段により前記第２のネットワークファクシミリ装置のＩＰアドレスと前記相手機のＩＰアドレスとが一致していると判断された場合は、前記送信の保留された画像データを前記相手機に対して送信するように制御し、
前記第２のネットワークファクシミリ装置の前記制御手段は、セッション確立が可能となった場合に、前記ネットワークインターフェイス制御手段を用いて、前記記憶手段に記憶されている前記第１のネットワークファクシミリ装置のＩＰアドレスに基づき、前記第１のネットワークファクシミリ装置に対して発呼を行なうよう制御する
ことを特徴とするネットワークファクシミリシステム。
【００２７】
（１０）前記第１のネットワークファクシミリ装置の前記比較手段により、前記記憶手段に記憶されている前記第２のネットワークファクシミリ装置のＩＰアドレスと前記相手機のＩＰアドレスとが一致していないと判断された場合は、前記制御手段は前記相手機とのセッションを開放する
ことを特徴とする（９）に記載のネットワークファクシミリシステム。
【００２８】
（１１）前記相手機からセッション確立要求を受けて、セッション確立応答を返送後に、前記第１の時間内に前記相手機から画像データの送信が行なわれず、かつ自機に保留された送信に係わる画像データが存在しない場合は、前記第１のネットワークファクシミリ装置の前記制御手段は前記相手機とのセッションを開放する
ことを特徴とする（９）または（１０）に記載のネットワークファクシミリシステム。
【００２９】
（１２）前記画像データの送信に際して、前記第１のネットワークファクシミリ装置の前記制御手段は前記記憶手段に記憶されている前記第２のネットワークファクシミリ装置のＩＰアドレスを消去する
ことを特徴とする（９）乃至（１１）のいずれか１つに記載のネットワークファクシミリシステム。
【００３０】
（１３）前記第１のネットワークファクシミリ装置の前記制御手段は保留された送信に係わる画像データを前記記憶手段に記憶させる
ことを特徴とする（９）乃至（１２）のいずれか１つに記載のネットワークファクシミリシステム。
【００３１】
（１４）前記第２のネットワークファクシミリ装置の前記ネットワークインターフェイス制御手段で発呼し、前記第１のネットワークファクシミリ装置との間でセッションが確立した後、前記第２のネットワークファクシミリ装置の前記制御手段は、前記第１のネットワークファクシミリ装置から画像データが送信されてくるのを待ち、第２の所定時間の経過前に画像データが送信されてきた場合は、該画像データを受信させ、前記第２の所定時間が経過しても画像データが送信されてこない場合は、前記第１のネットワークファクシミリ装置とのセッションを開放する
ことを特徴とする（９）に記載のネットワークファクシミリシステム。
【００３２】
（１５）前記第２の所定時間は、前記１の所定時間よりも長い
ことを特徴とする（１４）に記載のネットワークファクシミリシステム。
【００３３】
（１６）前記発呼に際して、前記第２のネットワークファクシミリ装置の前記制御手段は前記記憶手段に記憶されている前記第１のネットワークファクシミリ装置のＩＰアドレスを消去する
ことを特徴とする（１４）もしくは（１５）のいずれかに記載のネットワークファクシミリシステム。
【発明の効果】
【００３４】
本発明に係わるネットワークファクシミリ装置によれば、相手機ビジーなどによって保留された画像データの送信を、受信機側から送信機側への発呼を契機に開始することができるので、たとえば、受信機が受信可能となった時点で受信機から送信機へ発呼して、受信可能となった旨を通知すれば、保留中の画像データの送信を早期に完了させることができる。
【００３５】
また、着呼後、予め定められた時間を待っても画像データが送信されてこないことにより、今回の着呼は保留中の画像データに対する発呼側からの送信要求であると判断するので、保留中の画像データを受信機からの発呼に基づいて送信させるという機能を、特別な信号を付加することなくＳＩＰの標準手順の範囲内で実現することができ、ファクシミリ装置としての汎用性を維持することができる。
【発明を実施するための最良の形態】
【００３６】
以下、図面に基づき本発明の実施の形態を説明する。
【００３７】
図１は、本発明の実施の形態に係わるネットワークファクシミリ装置１０を含むネットワークファクシミリシステム５の構成例を示している。ネットワークファクシミリシステム５は、セッション制御プロトコルを利用して呼接続（セッションの確立）を行ない、ネットワーク２を介して送受信機間をピア・ツゥ・ピアに接続して画像情報を伝送するように構成されたファクシミリシステムである。ネットワークファクシミリシステム５は、インターネットなどのネットワーク２にＳＩＰサーバ３０と、複数のネットワークファクシミリ装置１０とを接続して構成される。
【００３８】
ＳＩＰにおいては、ネットワーク２上に配置したＳＩＰサーバ３０（プロキシサーバ、登録サーバ、ロケーションサーバ、リダイレクトサーバなどで構成される）に各ネットワークファクシミリ装置１０を特定するためのＳＩＰアドレス（たとえば、公衆回線におけるＦＡＸの電話番号など）とそのＩＰ（Internet Protocol）アドレスとを関連付けて登録しておき、発呼側のネットワークファクシミリ装置１０からＳＩＰサーバ３０に対して宛先のＳＩＰアドレスで呼接続を要求すると、ＳＩＰサーバ３０は発呼側のネットワークファクシミリ装置１０から受け取ったＳＩＰアドレスに対応するＩＰアドレスを検索し、該ＩＰアドレスを使用して発呼側のネットワークファクシミリ装置１０と宛先（被呼側）のネットワークファクシミリ装置１０との間での呼接続を試みるようになっている。ＳＩＰにおけるセッションの確立／終了はメソッドとこれに対応する応答とをやり取りすることで行なわれる。
【００３９】
ネットワークファクシミリ装置１０は、セッション制御プロトコルに基づいてセッション制御を行なうネットワーク対応型のファクシミリ装置として構成されており、ＣＰＵ（Central Processing Unit）を主要部とする制御部１１に、原稿を光学的に読み取って画像データを取得する画像読み取り部１２と、画像を記録紙に印刷する画像記録部１３と、操作画面の表示とユーザ操作の受け付けを行なう操作表示部１４と、画像データを記憶するメモリやハードディスク装置で構成された画像記憶部１５と、ＳＩＰを利用した通信に関する各種情報を記憶するネットワーク情報記憶部１７と、ネットワーク２を介して他の端末やＳＩＰサーバ３０と各種のデータをやり取りする機能を果たすネットワークインターフェイス（Ｉ／Ｆ）制御部１８などを接続して構成される。
【００４０】
なお、画像読み取り部１２は画像読み取りインターフェイス（Ｉ／Ｆ）部１２ａを介して、画像記録部１３は画像記録インターフェイス（Ｉ／Ｆ）部１３ａを介して、操作表示部１４は操作表示インターフェイス（Ｉ／Ｆ）部１４ａを介して、それぞれ制御部１１に接続されている。
【００４１】
図２は、ネットワークファクシミリ装置１０Ｃからネットワークファクシミリ装置１０Ｂに対して画像送信を行なっている間（Ｐ５）に、ネットワークファクシミリ装置１０Ａからネットワークファクシミリ装置１０Ｂに対してセッション確立を要求（Ｐ６）した場合における通信の流れを示している。
【００４２】
送信側のネットワークファクシミリ装置１０Ｃは、受信側のネットワークファクシミリ装置１０Ｂに向けて、まずメソッドＩＮＶＩＴＥを発行し、セッションの確立を促す。メソッドＩＮＶＩＴＥは、プロキシサーバ３１Ａ、３１Ｂを中継されてネットワークファクシミリ装置１０Ｂに到達する（Ｐ１）。なお、各プロキシサーバ３１Ａ、３１Ｂは、受け取ったメソッドＩＮＶＩＴＥの送信元に対してそれぞれ応答コード１００ＴＲＹＩＮＧを返送する。応答コード１００ＴＲＹＩＮＧは、後段へリクエストを転送中であることを示す応答コードである。
【００４３】
メソッドＩＮＶＩＴＥを受けたネットワークファクシミリ装置１０Ｂは、応答コード１８０ＲＩＮＧＩＮＧをネットワークファクシミリ装置１０Ｃに対して送信し（Ｐ２）、受信可能な状態にあるときは、応答コード２００ＯＫをネットワークファクシミリ装置１０Ｃに送信する（Ｐ３）。これらはプロキシサーバ３１Ｂ、３１Ａで中継されてネットワークファクシミリ装置１０Ｃに到達する。ネットワークファクシミリ装置１０Ｃは、応答コード２００ＯＫを受けると、ネットワークファクシミリ装置１０Ｂに対して直接、メソッドＡＣＫを送信し（Ｐ４）、これにより、ネットワークファクシミリ装置１０Ｃとネットワークファクシミリ装置１０Ｂとの間にセッションが確立する。
【００４４】
セッション確立後は、任意のプロトコルで画像データのファクシミリ通信が行なわれる（Ｐ５）。たとえば、ＩＴＵ−Ｔ（International Telecommunication Union-Telecommunication sector）の勧告Ｔ.３７やＴ.３８に準拠したプロトコルが使用される。ここでは、ダイレクトＳＭＴＰ（Simple Mail Transfer Protocol）を使用して通信が行なわれている。
【００４５】
ネットワークファクシミリ装置１０Ｃからネットワークファクシミリ装置１０Ｂに対して画像送信を行なっている間に、ネットワークファクシミリ装置１０Ａからネットワークファクシミリ装置１０Ｂに対してセッションの確立を要求すると（Ｐ６）、メソッドＩＮＶＩＴＥがプロキシサーバ３１Ｃ、３１Ｂを中継されてネットワークファクシミリ装置１０Ｂに到達するが、ネットワークファクシミリ装置１０Ｂはビジーでネットワークファクシミリ装置１０Ａからの画像データを受信できない状態にあるので、応答コード４８６ＢｕｓｙＨｅｒｅをネットワークファクシミリ装置１０Ａに返送し、セッションが切断される（Ｐ７）。
【００４６】
ネットワークファクシミリ装置１０Ｂはネットワークファクシミリ装置１０Ｃからの画像データ受信が終了すると、ネットワークファクシミリ装置１０Ｃに対してメソッドＢＹＥを送信し、これに対してネットワークファクシミリ装置１０Ｃが応答コード２００ＯＫをネットワークファクシミリ装置１０Ｂに返信すると、回線が切断されてセッションが開放される（Ｐ８）。
【００４７】
通常、相手機ビジーを受けたネットワークファクシミリ装置Ａが一定時間後に再送信を試みるが、本例では、ネットワークファクシミリ装置１０Ｃとの通信が終了して画像データの受信が可能となった時点でネットワークファクシミリ装置１０Ｂからネットワークファクシミリ装置１０Ａに対してセッション確立を要求し（Ｐ９）、セッション確立後にネットワークファクシミリ装置１０Ｃからネットワークファクシミリ装置１０Ｂへ画像データが送信されるようになっている（Ｐ１０）。
【００４８】
次に、送受信機間の通信シーケンスを場合分けして説明する。
【００４９】
図３は、通常に画像送信が行なわれる場合の通信シーケンスを示している。ネットワークファクシミリ装置１０Ａからネットワークファクシミリ装置１０Ｂへのセッション確立要求（ＩＮＶＩＴＥ）に対して、ネットワークファクシミリ装置１０Ｂからセッション確立応答（２００ＯＫ）が返送されると、確認のために、ネットワークファクシミリ装置１０Ａからネットワークファクシミリ装置１０Ｂに対して、確認応答（ＡＣＫ）が送られ、セッションが確立する（Ｐ１１）。
【００５０】
その後、ネットワークファクシミリ装置１０Ａからネットワークファクシミリ装置１０Ｂへ画像データの送信が行なわれる（Ｐ１２）。ここでは、ＳＭＴＰのプロトコルに従って画像データが送信される。図３の通信フェーズ（Ｐ１２）には、ＳＭＴＰによる通信手順を詳しく示してある。セッション確立中に複数の画像送信を行なう場合は、ＳＭＴＰによる通信フェーズ（Ｐ１２）が繰り返し行なわれる。
【００５１】
画像データの送信が完了すると、ＳＩＰプロトコルに基づき、ネットワークファクシミリ装置１０Ａがセッション開放（ＢＹＥ）を発行し、応答（２００ＯＫ）が返送されてセッションが開放される（Ｐ１３）。
【００５２】
次に、相手機ビジーの場合の動作を説明する。
【００５３】
図４は、ネットワークファクシミリ装置１０Ａ（発呼側）からネットワークファクシミリ装置１０Ｂ（第１の相手機）に送信しようとした際に、ビジーが返送された場合の通信シーケンスを示している。ネットワークファクシミリ装置１０Ｂがネットワークファクシミリ装置１０Ｃと通信している間（Ｐ２０）に、ネットワークファクシミリ装置１０Ａからネットワークファクシミリ装置１０Ｂに対して、セッション確立要求を発行すると（Ｐ２１）、ネットワークファクシミリ装置１０Ｂは、既に通信中であるため、別の画像データ受信が行なえないと判断して、ネットワークファクシミリ装置１０Ａに対して、４８６ＢｕｓｙＨｅｒｅを通信不可信号として返送する（Ｐ２２）。尚、ビジーを返送する条件は、画像通信を行なうためのポートを使用中といった条件や、受信機側のメモリに十分な空きが無いと判断したような場合（ＮＯＴ  ＲＥＡＤＹ）なども含まれる。
【００５４】
ネットワークファクシミリ装置１０Ｂはネットワークファクシミリ装置１０Ａに４８６ＢｕｓｙＨｅｒｅを返送するにあたって、ネットワークファクシミリ装置１０Ａ（発呼側）のＩＰアドレス（通信不可信号を返送した相手機のＩＰアドレス）をネットワーク情報記憶部１７などに記憶する（Ｐ２３）。
【００５５】
４８６ＢｕｓｙＨｅｒｅを受信したネットワークファクシミリ装置１０Ａ（発呼側）は、画像データの送信を保留すると共に、再送信を行なうために、第１の相手機（ネットワークファクシミリ装置１０Ｂ）のＩＰアドレスと、今回の送信に係わるジョブとを関連付けて、図１の画像記憶部１５のワークメモリに記憶し（Ｐ２４）、再送信待ちの状態に遷移する。再送信待ち時間Ｔ０は、たとえば、３分に設定される。なお、送信される画像データが、ネットワークファクシミリ装置１０Ａに保存されていない場合は、これを保存する。
【００５６】
ネットワークファクシミリ装置１０Ｂ（第１の相手機）は、ネットワークファクシミリ装置１０Ｃとの通信（Ｐ２０）が終了すると（Ｐ２５）、ネットワーク情報記憶部１７に記憶しておいた相手機（発呼側）のＩＰアドレスを使用してその相手機（ここではネットワークファクシミリ装置１０Ａ）に対してセッションの確立を要求する（Ｐ２６）。このセッション確立要求は、送信が保留されている画像データの有無をネットワークファクシミリ装置１０Ａに問い合わせし、自機（ネットワークファクシミリ装置１０Ｂ）に対して送信を保留している画像データが保存されている場合はそれを自機に対して送信するようにネットワークファクシミリ装置１０Ａ（発呼側）に対して要求するためのものである。そのため、ネットワークファクシミリ装置１０Ｂはセッション確立後もＳＭＴＰによる接続要求を行なうことなく、予め定められたＴ２時間（たとえば、６０秒）の待ち状態に入る（Ｐ２８）。
【００５７】
ネットワークファクシミリ装置１０Ａ（発呼側）は、セッション確立要求（着呼、Ｐ２６）を受けると、画像データの受信が可能か否かを判断し、受信可能な場合は、セッション確立応答を返送して（Ｐ２７）、画像データの受信待ちの体勢に一旦入る。その後、予め定められたＴ１時間（たとえば、３０秒）を待っても画像データが送信されてこない場合は、今回の着呼は保留中の画像データに対する送信要求であると判断し、送信保留中のジョブに関連付けて記憶してある第１の相手機のＩＰアドレス（Ｐ２４で記憶したもの）と今回の着呼（セッション確立要求Ｐ２６）で受けた発呼側（第２の相手機）のＩＰアドレスとを比較し、一致するときは、第２の相手機（発呼してきたネットワークファクシミリ装置１０Ｂ）に対して、画像データの送信フェーズに係わる接続要求を行ない（Ｐ２９）、画像データを送信する。
【００５８】
ネットワークファクシミリ装置１０Ｂは、Ｔ２時間の経過前に相手機から接続要求を受けると、これに応答して相手機からの画像データを受信する（Ｐ３０）。
【００５９】
この際、送信予約したジョブなどがある場合のように、送信を保留したジョブが複数個あるときは、再度、接続要求から開始して、画像データの送信を行なうようにしてもよい。
【００６０】
ネットワークファクシミリ装置１０Ａは、Ｔ１時間の経過前に第２の相手機から接続要求を受けて画像データが送信されてきた場合は、通常の発呼側からの画像送信であると判断し、画像データを受信する（図３のネットワークファクシミリ装置１０Ｂ側と同様の動作となる）。
【００６１】
一方、着呼後、Ｔ１時間が経過しても未だ画像データが送信されてこない場合であっても、送信保留中のジョブに関連付けて記憶してある第１の相手機のＩＰアドレス（Ｐ２４で記憶したもの）と今回の着呼（セッション確立要求Ｐ２６）で受けた第２の相手機のＩＰアドレスとが一致しない場合や保留した送信ジョブに係わるＩＰアドレスがない場合、あるいは送信を保留したジョブが規定の再送信回数オーバによって既に削除されているような場合は、図５に示すように、セッションを開放する（Ｐ４１）。
【００６２】
また、相手機への送信が保留されていることを操作表示部１４（図１）に表示し、この表示からユーザが保留中のジョブの送信をキャンセルできるようにしてもよい。このキャンセルがなされた場合にも、図５に示したように、セッションを開放する制御（Ｐ４１）が行なわれる。
【００６３】
また、図６に示すように、ネットワークファクシミリ装置１０Ａは、Ｔ１時間の経過前にネットワークファクシミリ装置１０Ｂ側から通信がキャンセルされた場合は（Ｐ５１）、セッション開放を行なう（Ｐ４２）。
【００６４】
なお、ネットワークファクシミリ装置１０Ａは、再送信待ちの状態に入ってからＴ０時間待っても何もない（保留中の画像データの送信やジョブのキャンセルなどがない）場合は、図７に示したように、Ｔ０時間の経過後に再度ネットワークファクシミリ装置１０Ｂに対してセッションの確立要求を行なって（Ｐ６１）、送信のリトライを行なう。
【００６５】
また、図８に示すように、ネットワークファクシミリ装置１０Ｂ（第１の相手機）においては、ネットワークファクシミリ装置１０Ｃとの通信中に着呼のあった相手機（発呼側）に対して、ネットワークファクシミリ装置１０Ｃとの通信終了後（Ｐ２５）にセッションの確立を要求（Ｐ２６）したが、セッションが確立してからＴ２時間が経過しても、相手機（発呼側）から何も受信しなかった場合は、ネットワークファクシミリ装置１０Ｂからセッション開放要求を発行してセッションを開放する（Ｐ７１）。相手機（発呼側）が、図４のＰ２９に示すような応答を行なわない機種（たとえば、他社機）の場合はこのようなシーケンスになる。
【００６６】
また、図９に示すように、ネットワークファクシミリ装置１０Ｂ（第１の相手機）が、ネットワーク情報記憶部１７に記憶している発呼側のＩＰアドレスを利用してセッション確立要求した場合に（Ｐ２６）、その相手機（発呼側）からビジーが返送された場合は（Ｐ８１）、ネットワーク情報記憶部１７に記憶していた相手機（発呼側）のＩＰアドレスを消去し（Ｐ８２）、以降のその相手機への再発呼は行なわず、送信機（この場合は、元々の発呼側であるネットワークファクシミリ装置１０Ａ）側の制御に委ねる。これにより、保留中の画像データの送信要求を同じ相手機に対して再度行なわないようになり、制御の複雑化や呼の輻輳が防止される。
【００６７】
次に、ネットワークファクシミリ装置１０Ａでの送信動作を図１０の流れ図に基づいて説明する。
【００６８】
ネットワークファクシミリ装置１０Ａは、第１の相手機の相手機ＩＰアドレスと今回実行する送信ジョブの内容や設定などを示すジョブデータとをカレントジョブ用のワークメモリにセットした後（ステップＳ１０１）、ネットワークＩ／Ｆ制御部１８を用いてセッション確立要求を発行する（ステップＳ１０２）。このとき、相手機がビジーなど通信不可の状態でなければ（ステップＳ１０３；Ｎ）、セッションを確立させ、画像データの送信に係わる接続要求（ここでは、ＳＭＴＰによる接続要求）を送信し（ステップＳ１０４）、画像データを送信する（ステップＳ１０５）。送信すべきデータが他にもある場合は（ステップＳ１０６；Ｙ）、通信フェーズ（ステップＳ１０４、Ｓ１０５）を再度実行し、送信すべきデータがこれ以上ない場合は（ステップＳ１０６；Ｎ）、セッションを開放して（ステップＳ１０７）処理を終了する。
【００６９】
一方、相手機ビジーなどで通信不可の場合は（ステップＳ１０３；Ｙ）、再送信回数が規定回数（たとえば、３回）をオーバしているか否かを調べ、オーバしている場合は（ステップＳ１０８；Ｙ）処理を終了し、オーバしていない場合は（ステップＳ１０８；Ｎ）、相手機ＩＰアドレスとジョブデータとを保存し（ステップＳ１０９）、再送信待ちタイマ（Ｔ０）をセットして（ステップＳ１１０）、一旦、処理を終了する。なお、送信される画像データが、ネットワークファクシミリ装置１０Ａに保存されていない場合は、これを保存する。
【００７０】
再送信待ちタイマ（Ｔ０）がタイムアップしたときは（図７のケース）、ステップＳ１０９で保存しておいた相手機ＩＰアドレスとジョブデータとを読み出してカレントジョブ用のワークメモリにセットし（ステップＳ１１１）、元の保存先からこの相手機ＩＰアドレスとジョブデータとを削除する（ステップＳ１１２）。その後はステップＳ１０２へ移行して、再送信に係わる動作を実行する。なお、ステップＳ１１２にて、相手機ＩＰアドレスとジョブデータとを削除する例を述べたが、当該ステップにおいて削除せずに、画像データの送信が終了した後のステップＳ１０７におけるセッションの開放に際して、相手機ＩＰアドレスとジョブデータとを削除するようにしてもよい。
【００７１】
次に、ネットワークファクシミリ装置１０Ｂが受信不可の状態から受信可能な状態に変化した場合の動作を図１１に示す流れ図に基づいて説明する。
【００７２】
ネットワークファクシミリ装置１０Ｂは、受信不可から受信可能な状態に変化したとき、受信不可中にビジー（通信不可信号）を返送した相手機（発呼側）が存在するか否かを調べる。具体的には、ネットワーク情報記憶部１７の所定エリアに相手機のＩＰアドレス（図４のＰ２３で記憶されるもの）が記憶されているか否かを調べる（ステップＳ２０１）。ビジー（通信不可信号）を返送した相手機が存在しない場合は（ステップＳ２０１；Ｎ）処理を終了する。
【００７３】
ビジー（通信不可信号）を返信した相手機が存在するときは（ステップＳ２０１；Ｙ）、その相手機に対するセッション確立要求を発行し（ステップＳ２０２）、相手機（発呼側）ビジーの場合は（ステップＳ２０３；Ｙ）、その相手機（発呼側）のＩＰアドレスをネットワーク情報記憶部１７から削除して（ステップＳ２０４）処理を終了する。これは図９に示すネットワークファクシミリ装置１０Ｂの動作に相当する。
【００７４】
相手機ビジーでないときは（ステップＳ２０３；Ｎ）、セッション確立後、接続要求待ちタイマ（Ｔ２）をセットする（ステップＳ２０５）。その後、接続要求待ちタイマ（Ｔ２）がタイムアップするまでの間（ステップＳ２１０）、相手機から画像データの送信に関する接続要求が受信されるか否か（ステップＳ２０６）と、セッションの解放要求があるか否か（ステップＳ２０９）とを監視する。
【００７５】
接続要求待ちタイマ（Ｔ２）がタイムアップする前に接続要求を受信した場合は（ステップＳ２０６；Ｙ）、接続要求待ちタイマ（Ｔ２）をリセットし（ステップＳ２０７）、画像データの受信動作を行ない（ステップＳ２０８）、再び接続要求待ちタイマ（Ｔ２）をセットする。これは、相手機から複数回連続して画像データの送信が行なわれる場合に対応したものである。
【００７６】
接続要求待ちタイマ（Ｔ２）がタイムアップする前にセッション開放要求（相手機からのＢＹＥ）を受けた場合（ステップＳ２０９；Ｙ）もしくは接続要求待ちタイマ（Ｔ２）がタイムアップしたときは（ステップＳ２１０；Ｙ）、接続要求待ちタイマ（Ｔ２）をリセットした後（ステップＳ２１１）、セッションを開放する（ステップＳ２１２）。なお、該セッションの開放は、接続要求待ちタイマ（Ｔ２）がタイムアップした場合は自機から相手機へＢＹＥを送信し（図８のケース）、セッション解放要求を受けたときは相手機に２００ＯＫを返信する（図５のケース）。
【００７７】
次に、元々の発呼側であるネットワークファクシミリ装置１０Ａが、セッション確立要求を受信した場合の動作を図１２に示す流れ図に基づいて説明する。
【００７８】
ネットワークファクシミリ装置１０Ａが、ネットワークＩ／Ｆ制御部１８を介して、第２の相手機からセッション確立要求を受けると、セッション確立可能か否かを判断し（ステップＳ３０１）、セッション確立不可、たとえば、他機との通信中で画像データを受信できないときは（ステップＳ３０２；Ｎ）、第２の相手機の相手機ＩＰアドレスを保存し（ステップＳ３０３）、その相手機にビジー（通信不可信号）を返信して（ステップＳ３０４）処理を終了する。このケースは図４のネットワークファクシミリ装置１０ＢにおけるＰ２１、Ｐ２２、Ｐ２３に類似する。
【００７９】
受信可能な場合は（ステップＳ３０２；Ｙ）、ネットワークＩ／Ｆ制御部１８を用いてセッション確立応答を返送し（ステップＳ３０５）、受信待ちタイマ（Ｔ１）をセットする（ステップＳ３０６）。その後、受信待ちタイマ（Ｔ１）がタイムアップするまでの間（ステップＳ３１３；Ｎ）、相手機（第２の相手機）から画像データの送信に関する接続要求が受信されるか否か（ステップＳ３０７）と、セッションの開放要求があるか否か（ステップＳ３１０）とを監視する。
【００８０】
受信待ちタイマ（Ｔ１）がタイムアップする前に接続要求を受信した場合は（ステップＳ３０７；Ｙ）、図３に示すような通常の画像受信となり、受信待ちタイマ（Ｔ１）をリセットし（ステップＳ３０８）、画像データの受信動作を行ない（ステップＳ３０９）、再び受信待ちタイマ（Ｔ１）をセットする（ステップＳ３０６）。これは、相手機から複数回連続して画像データの送信が行なわれる場合に対応したものである。
【００８１】
受信待ちタイマ（Ｔ１）がタイムアップする前にセッション開放要求（相手機からのＢＹＥ）を受けた場合は（ステップＳ３１０；Ｙ、図６のケース）、受信待ちタイマ（Ｔ１）をリセットし（ステップＳ３１１）、セッションを開放する（ステップＳ３１２）。
【００８２】
受信待ちタイマ（Ｔ１）がタイムアップしたときは（ステップＳ３１３；Ｙ）、今回の着呼は保留中の画像データに対する送信要求であると判断し、送信保留中のジョブと関連付けて記憶されているＩＰアドレスがあるか否か（送信保留中の画像データの有無）を調べ（ステップＳ３１４）、送信保留中のＩＰアドレスがない場合は（ステップＳ３１４；Ｎ）、セッションを開放する（ステップＳ３１６、図５のケース）。
【００８３】
また送信保留中のジョブと関連付けて記憶されているＩＰアドレスがあるときは（ステップＳ３１４；Ｙ）、その保留中の送信ジョブに係わる第１の相手機のＩＰアドレスと今回の発呼してきた第２の相手機のＩＰアドレスとを比較し、それらが一致しないときは（ステップＳ３１５；Ｎ）、セッションを開放し（ステップＳ３１６、図５のケース）、一致するときは（ステップＳ３１５；Ｙ）、図１０のステップＳ１０４へ移行し、保留してある画像データを相手機（第２の相手機）に送信する動作を行なう（図４でＰ２９となるケース）。
【００８４】
このように、受信側ビジーなどによって画像データの送信が保留された場合に、受信側ビジーが解消された時点で該受信側から送信側へ発呼し、保留されている画像データの送信を要求するので、送信側から再送信待ち時間Ｔ２後に再発呼する場合に比べて、保留中の画像データの送信を早期に完了させることができる。
【００８５】
特に、ネットワークファクシミリでは、画像データの送信に要する時間が公衆回線を利用したファクシミリ装置に比べて短時間となる場合が多く、相手機ビジーの状態が早期に解消されやすいので、本発明による効果が顕著となる。
【００８６】
さらに、保留中の画像データに対する送信要求の伝達を、特別な信号を付加することなく、接続要求待ちタイマ（Ｔ２）および受信待ちタイマ（Ｔ１）の追加で実現しているので、標準手順のネットワークファクシミリ装置と通信した場合にも互いに動作異常を来すことがなく、ファクシミリ装置としての汎用性が確保される。
【００８７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８８】
実施の形態では、Ｔ０時間：３分、Ｔ１時間：３０秒、Ｔ２時間：６０秒としたが、Ｔ２時間とＴ１時間は、Ｔ２時間＞Ｔ１時間の関係が満たされればよく、例示した時間に限定されない。また、Ｔ０時間は、Ｔ２時間やＴ１時間との大小関係は問わず、任意の長さに設定すればよい。
【図面の簡単な説明】
【００８９】
【図１】本発明の実施の形態に係わるネットワークファクシミリ装置の概略構成、およびネットワークファクシミリシステムの構成例を示す説明図である。
【図２】ネットワークファクシミリ装置Ｃからネットワークファクシミリ装置Ｂに対する画像送信中に、ネットワークファクシミリ装置Ａからネットワークファクシミリ装置Ｂに対してセッション確立を要求した場合の通信シーケンス全体を示す説明図である。
【図３】通常に画像送信が行なわれる場合の通信シーケンスを示す説明図である。
【図４】ネットワークファクシミリ装置Ａからネットワークファクシミリ装置Ｂに送信しようとした際に、ビジーが返送された場合の通信シーケンスを示す説明図である。
【図５】保留中の画像データの送信要求を受けたネットワークファクシミリ装置Ａが、ＩＰアドレスの不一致などによりセッションを開放する場合の通信シーケンスを示す説明図である。
【図６】受信待ちタイマ（Ｔ１）のタイムアップ前に相手機からセッション解放要求を受けた場合の通信シーケンスを示す説明図である。
【図７】再送信待ちタイマ（Ｔ０）のタイムアップにより再発呼を行なう場合の通信シーケンスを示す説明図である。
【図８】保留中の画像データの送信要求を行なったが、接続要求待ちタイマ（Ｔ２）のタイムアップ前に相手機から応答がない場合の通信シーケンスを示す説明図である。
【図９】保留中の画像データの送信要求を行なったが、相手機からビジーが返送された場合の通信シーケンスを示す説明図である。
【図１０】ネットワークファクシミリ装置の送信動作を示す流れ図である。
【図１１】受信不可の状態から受信可能に変化した場合におけるネットワークファクシミリ装置の動作を示す流れ図である。
【図１２】セッション確立要求を受信した場合のネットワークファクシミリ装置の動作を示す流れ図である。
【符号の説明】
【００９０】
２…ネットワーク
５…ネットワークファクシミリシステム
１０…ネットワークファクシミリ装置
１０Ａ…送信機となるネットワークファクシミリ装置
１０Ｂ…受信機となるネットワークファクシミリ装置
１０Ｃ…受信機１０Ｂと通信する他のネットワークファクシミリ装置
１１…制御部
１２…画像読み取り部
１２ａ…画像読み取りＩ／Ｆ部
１３…画像記録部
１３ａ…画像記録Ｉ／Ｆ部
１４…操作表示部
１４ａ…操作表示Ｉ／Ｆ部
１５…画像記憶部
１７…ネットワーク情報記憶部
１８…ネットワークＩ／Ｆ制御部
３０…ＳＩＰサーバ
３１Ａ、３１Ｂ、３１Ｃ…プロキシサーバ
【図１】
2007336393.tif 000003
【図２】
2007336393.tif 000004
【図３】
2007336393.tif 000005
【図４】
2007336393.tif 000006
【図５】
2007336393.tif 000007
【図６】
2007336393.tif 000008
【図７】
2007336393.tif 000009
【図８】
2007336393.tif 000010
【図９】
2007336393.tif 000011
【図１０】
2007336393.tif 000012
【図１１】
2007336393.tif 000013
【図１２】
2007336393.tif 000014